(57)【特許請求の範囲】
【請求項１】
複数のエア袋内へと選択的にエアを供給する筐体形状のエアポンプ本体がケース本体内に配置され、互いに平行に延びる軸線を有する複数の緩衝部材が前記ケース本体の内底壁面側から立設され、前記緩衝部材の先端側で前記エアポンプ本体の互いに平行な二壁面を支持することによって前記エアポンプ本体が前記ケース本体内で揺動可能な浮遊状態で支持されたエア式マッサージ装置のエア供給装置において、
前記エアポンプ本体は、前記緩衝部材よりも柔軟性を有し且つこの緩衝部材の軸線と直交する軸線を有する補助緩衝部材の先端側によって補助的に支持され、
前記緩衝部材は、前記エアポンプ本体の主たる振動方向前後に位置する平行な二壁面を支持し且つその振動方向と直交する方向に軸線を有するように前記ケース本体の内底壁面側から立設され、
前記補助緩衝部材は、ケース本体の内壁面のうち前記エアポンプ本体の主たる振動方向前後に位置する平行な二壁面と対向する内壁面並びに前記ケース本体の内底壁面を除いた他の面側から立設されていることを特徴とするエア式マッサージ装置のエア供給装置。
【発明の詳細な説明】
【０００１】
【発明の属する技術分野】
本発明は、筐体形状のエアポンプ本体を内蔵したケース本体を備え、エアポンプ本体から複数のエア袋内へと選択的にエアを供給することによって人体のマッサージを行うエア式マッサージ装置のエア供給装置に関する。
【０００２】
【従来の技術】
従来、例えば、図１１に示すように、複数のエア袋（図示せず）を内蔵したマット１と、前面に操作部２を有すると共にエア供給装置３を内蔵したエア供給制御ユニット４と、両端にマット１及びエア供給装置３と接続する接続部５ａを有するエアホースユニット５とを備えたエア式マッサージ装置や、図１２に示すように、複数のエア袋（図示せず），上面に操作部６を有するエア供給装置７，エア袋とエア供給装置７とを接続するエアホース（図示せず）を内蔵した椅子本体８からなるエア式マッサージ装置が知られている（例えば、特開平９−１９２１８４号、特開２０００−６０６７６号参照）。
【０００３】
エア供給装置３，７（以下、エア供給装置７を例示する）は、図１３に示すように、上ケース１０と下ケース１１とで分割されたケース本体１２と、ケース本体１２内に配置された略筐体形状のエアポンプ本体１４と、エアポンプ本体１４に接続された吸気又は排気用の配管１５と、この配管１５の一部と接続されたロータリー弁ユニット１６と、ロータリー弁ユニット１６に連結された複数の吸排気ノズル１７ａを有する分散管１７と、分散管１７（又は、これに接続されるエアホース）をケース本体１２の外部へと突出させるために形成された開口１３ａからの音漏れを防止するパッキン１８と、エアポンプ本体１４並びにロータリー弁ユニット１６の電気的な制御を行う電子部品１９等を設けた制御回路基板２０と、制御回路基板２０の下方に位置する変圧器２１等を備えている。
【０００４】
エアポンプ本体１４は、その基端側が下ケース１１の内底壁面１１ａにブラケット２２を介して固定された４つの緩衝部材２３の先端側で支持され、これによりケース本体１２内で浮遊状態で配置されている。
【０００５】
この際、緩衝部材２３は、上下方向（紙面と直交する方向）に延在する軸線を備えたゴム製のものが使用され、その先端がエアポンプ本体１４が駆動している際の主たる振動方向（矢印ａ参照）を前後方向とした場合のその前後方向に位置する二壁面１４ａ，１４ｂから突出するリブ（又はブラケット）２４に係合している。
【０００６】
ロータリー弁ユニット１６は、エアポンプ本体１４から供給された空気を分散管１７の少なくとも１つのノズル１７ａに分散（分配）し、そのノズル１７ａに接続されたエアホースを介してエア袋に供給し且つその他のノズル１７ａに接続されたエア袋を排気状態とする。
【０００７】
変圧器２１（トランス）は、図１４に示すように、金属製のホルダー２５に保持されている。ホルダー２５は、フランジ２５ａが一体に形成されており、そのフランジ２５ａが下ケース１１の内底壁面１１ａから立設された脚部１１ｂにネジ２６で固定されている。尚、脚部１１ｂは、ネジ２６を螺合させる関係から下ケース１１の内底壁面１１ａから立ち上げられており、これにより変圧器２１が若干浮いた状態となっている。
【０００８】
尚、変圧器２１の上方に配置された制御回路基板２０は、この制御回路基板２０に固定された電子部品１９（例えば、電解コンデンサー）の高さを考慮し、ケース本体１２をコンパクトとするために、他のエアポンプ本体１４やロータリー弁ユニット１６よりも高さの低い構成部品上に配置されている。
【０００９】
【発明が解決しようとする課題】
ところで、上記の如く構成されたエア式マッサージ装置のエア供給装置にあっては、エアポンプ本体１４は下ケース１１の内底壁面１１ｂにブラケット２３を介して固定されたブラケット２２に先端側で支持されることによってケース本体１２内で浮遊状態で配置されている。
【００１０】
従って、例えば、図１１に示したような横置き状態でエア供給装置３を配置した場合にあっては、緩衝部材２３の軸線が上下方向にあることから、エアポンプ本体１４が駆動した際であっても、その主たる振動方向（矢印ａ）の荷重吸収を効率よく行うことができるものの、図１２に示したような縦置き状態（分配管１７が上向き）でエア供給装置７を配置した場合には、緩衝部材２３の軸線が水平方向になってしまうことから、エアポンプ本体１４自体の重量が緩衝部材２３に加わって横置き状態時よりもエアポンプ本体１４が下方に変位してしまい、主たる振動方向（矢印ａ）の荷重を吸収する際に、特に、下側に位置した緩衝部材２３の基端部とブラケット２２との間で経年的に摩滅が発生してしまうという問題が生じていた。
【００１１】
本発明は、上記問題を解決するため、エアポンプ本体の振動吸収を効率よく行うことができ、しかも、エア供給装置の設置が縦置き横置きに拘わらず緩衝部材の経年的摩滅を防止することができるエア式マッサージ装置のエア供給装置を提供することを目的とする。
【００１２】
【課題を解決するための手段】
その目的を達成するため、請求項１に記載のエア式マッサージ装置のエア供給装置は、複数のエア袋内へと選択的にエアを供給する筐体形状のエアポンプ本体がケース本体内に配置され、互いに平行に延びる軸線を有する複数の緩衝部材が前記ケース本体の内底壁面側から立設され、前記緩衝部材の先端側で前記エアポンプ本体の互いに平行な二壁面を支持することによって前記エアポンプ本体が前記ケース本体内で揺動可能な浮遊状態で支持されたエア式マッサージ装置のエア供給装置において、前記エアポンプ本体は、前記緩衝部材よりも柔軟性を有し且つこの緩衝部材の軸線と直交する軸線を有する補助緩衝部材の先端側によって補助的に支持され、前記緩衝部材は、前記エアポンプ本体の主たる振動方向前後に位置する平行な二壁面を支持し且つその振動方向と直交する方向に軸線を有するように前記ケース本体の内底壁面側から立設され、前記補助緩衝部材は、ケース本体の内壁面のうち前記エアポンプ本体の主たる振動方向前後に位置する平行な二壁面と対向する内壁面並びに前記ケース本体の内底壁面を除いた他の面側から立設されていることを要旨とする。
【００１４】
【発明の実施の形態】
次に、本発明のエア式マッサージ装置のエア供給装置の実施の形態を図面に基づいて説明する。尚、エア供給装置をエア式マッサージ装置に配置した見掛け上は図１１及び図１２と同一であるため、以下、エア供給装置のみを説明する。
【００１５】
図１において、エア供給装置３０は、上ケース３１と下ケース３２とで上下に分割されたケース本体３３と、ケース本体３３内に配置された略筐体形状のエアポンプ本体３４と、エアポンプ本体３４に接続された吸気又は排気用の配管３５と、配管３５の一部と接続されたロータリー弁ユニット３６と、ロータリー弁ユニット３６に連結された複数の吸排気ノズル３７ａを有する分散管３７と、分散管３７をケース本体３３の外部へと突出させるために形成された開口３３ａからの音漏れを防止する接続パッキン３８と、接続パッキン３８をロータリー弁ユニット３６側に付勢しつつエアホース５の接続部５ａをケース本体３３に着脱可能に接続するジョイント部材３９と、エアポンプ本体３４並びにロータリー弁ユニット３６の電気的な制御を行うための電子部品４０等を設けた制御回路基板４１と、制御回路基板４１の下方に位置する変圧器４２等を備えている。
【００１６】
上ケース３１には、図２及び図３に示すように、エアポンプ本体３４の近傍の内側壁面３１ａと協働して保持空間３１ｂを形成する押爪３１ｃが一体に形成されている。この押爪３１ｃの下端は上ケース３１の開放端面３１ｄから突出されている。
【００１７】
下ケース３２の内底壁面３２ａには、ブラケット４３をネジ４４で固定するための座部３２ｂが突出形成されている。また、下ケース３２には、エアポンプ本体３４の近傍の内側壁面３２ｃと協働して保持空間３２ｄを形成する凹部３２ｅが一体に形成されている。
【００１８】
エアポンプ本体３４には、駆動時の主たる振動方向（矢印ａ参照）を前後方向とした場合のその前後方向に位置する二壁面３４ａ，３４ｂからリブ３４ｃが突出されている。尚、このリブ３４ｃは、二壁面３４ａ，３４ｂにネジ等で固定されるブラケット等でも良い。また、内側壁面３１ｂ，３２ｃと所定間隔を存して対向するエアポンプ本体３４の側面には、二壁面３４ａ，３４ｂを形成する蓋体３４ｄ，３４ｅ側に形成された押え部３４ｆと本体部分３４ｇ側に形成された収納部３４ｈとからなる挟持部３４ｉが設けられている。
【００１９】
このエアポンプ本体３４は、フランジ３４に基端部４５ａが保持された状態で内底壁部３２ａから立ち上がる４つの緩衝部材４５の先端部４５ｂをリブ３４ｃに係合させることでケース本体３３内で浮遊状態で支持されている。また、エアポンプ本体３４は、ポンプ本体３４と内側壁面３２ｃ間に跨る補助緩衝部材４６によって補助的に支持されている。
【００２０】
補助緩衝部材４６は、図４に示すように、中央が縊れた胴部４６ａの両端に首部４６ｂ，４６ｃが一体に形成されたゴム等の弾性部材からなり、緩衝部材４５よりも比較的軟性を有している。一方の首部４６ｂ（首部４６ｃでも良い）は挟持部３４ｉに挟持され、下ケース３２にエアポンプ本体３４を設置した後に首部４６ｃを凹部３２ｅに位置させた状態で上ケース３１を下ケース３２に合体させる際に凹部３２ｅと押爪３１ｃとの協働により挟持される。
【００２１】
従って、図１１に示したように、エア供給装置３０を横置き状態とした際にあっては、４つの緩衝部材４５によりその主たる振動方向の荷重が吸収されることは勿論、その４つの緩衝部材４５よりも軟性を有し且つ直交する軸線を有する２つの補助緩衝部材４６によっても荷重が吸収される。
【００２２】
一方、図１２に示したように、エア供給装置３０を縦置き状態とした際にあっては、エアポンプ本体３４が自重によって図１の上方側へと変位（分散管３７を上向きに設置した場合）するが、この変位が補助緩衝部材４６によって抑制されるため、緩衝部材４５による振動吸収作用を確実に確保することができ、緩衝部材４５の経時的摩滅等が防止される。
【００２３】
ロータリー弁ユニット３６は、エアポンプ本体３４から供給された空気を分散管３７の少なくとも１つのノズル３７ａに分散（分配）し、そのノズル３７ａに接続されたエアホースを介してエア袋に供給し且つその他のノズル３７ａに接続されたエア袋を排気状態とする。
【００２４】
この際、図１１に示したように、マット形式のエア式マッサージ装置に適用した場合のようにエア供給装置３０を横置き状態とした際にあっては、図１に示したように接続パッキン３８並びにジョイント部材３９を介してエア供給装置３０のエアホースユニット５の接続部５ａが接続される。
【００２５】
また、図１２に示したように、椅子形式のエア式マッサージ装置に適用した場合のように、エア供給装置３０を縦置き状態とした際にあっては、図１３に示したパッキン１８を使用することでその他のエア供給装置３０の構成部材はそのままの状態で使用（兼用）することができる。
【００２６】
接続パッキン３８は、図５に示すように、開口３３ａの開口周縁部に密着することができるような直径の小径筒部３８ａと、この小径筒部３８ａよりも大径な大径筒部３８ｂとがゴム等によって同軸上に一体形成されており、これら各筒部３８ａ，３８ｂに跨って多数のホース挿入孔３８ｃが形成されている。尚、このホース挿入孔３８ｃはノズル３７ａの各々と同軸上に形成されている。また、ホース挿入孔３８ｃの両端には、ノズル３７ａの先端並びに接続部５ａのホースノズル５ｂを締め付ける小径部３８ｄが形成されている。さらに、大径筒部３８ｂの端面には位置決め用の突起３８ｅが突出されている。
【００２７】
ジョイント部材３９は、図６及び図７に示すように、ネジ４７によってケース本体３３に着脱可能に装着される。また、ジョイント部材３９には、ケース本体３３の装着された状態で接続部５ａを抜け止め状態で保持するために接続部５ａに設けられたロック爪５ｃと係合する回動スプリング４８が設けられている。ジョイント部材３９は、図８に示すように、上下ケース３１，３２の表面に係合する上下一対のアーム部３９ａ，３９ｂと、アーム部３９ａ，３９ｂの先端寄りに形成されてネジ４７が挿通されるネジ孔３９ｃ，３９ｄを形成した座部３９ｅ，３９ｆと、回動スプリング４８の基端を回動可能に保持するスリット３９ｇを形成した外筒部３９ｈと、接続部５ａの先端が突き当てられる環状底部３９ｉと、環状底部３９ｉの開口３９ｊを取り巻く突当筒部３９ｋと、環状底部３９ｉの開口縁部に形成されて突起３８ｅと係合する凹部３９ｍと、接続パッキン３８の大径筒部３８ｂを保持する内筒部３９ｎとが一体に形成されている。
【００２８】
変圧器４２（トランス）は、図９に示すように、金属製のホルダー４８に保持されている。ホルダー４８は、フランジ４８ａが一体に形成されており、そのフランジ４８ａが下ケース３２の内底壁面３２ａから変圧器４２の高さと略同一高さにまで立ち上げられた脚部３２ｆ，３２ｇにネジ４９で固定されている。尚、脚部３２ｆ，３２ｇは、図１０に示すように、下ケース３２の内側壁面３２ｃとは異なった互いに隣接する内側壁面３２ｈ，３２ｉと一体に形成されており、これにより脚部３２ｆ，３２ｇの強度が確保されていると共に、内側壁面３２ｈ，３２ｉで形成される角部スペース３２ｊ内に効率良く変圧器４２を設置することができ、ケース本体３３の小型化を実現することもできる。また、変圧器４２の高さと略同一高さにまで脚部３２ｆ，３２ｇを立ち上げられたことにより、ネジ４９のネジ部分（螺合する部分）を変圧器４２の本体部分とラップさせることができる。
【００２９】
従って、変圧器４２の上方の制御回路基板４１は、電気回路基板４１に固定された電子部品４０（例えば、電解コンデンサー）の高さを考慮した上で、ケース本体３３をコンパクトとするために、他のエアポンプ本体３４やロータリー弁ユニット３６よりも高さの低い構成部品上に配置しているが、このような構成とすることにより、従来の脚部１１ｂの高さ分だけケース本体３３のさらなる扁平化を実現することができる。
【００３０】
【発明の効果】
以上説明したように、請求項１に記載のエア式マッサージ装置のエア供給装置にあっては、緩衝部材よりも柔軟性を有し且つこの緩衝部材の軸線と直交する軸線を有する補助緩衝部材の先端側によって補助的に支持され、前記緩衝部材は、前記エアポンプ本体の主たる振動方向前後に位置する平行な二壁面を支持し且つその振動方向と直交する方向に軸線を有するように前記ケース本体の内底壁面側から立設され、前記補助緩衝部材は、ケース本体の内壁面のうち前記エアポンプ本体の主たる振動方向前後に位置する平行な二壁面と対向する内壁面並びに前記ケース本体の内底壁面を除いた他の面側から立設されていることにより、エアポンプ本体の振動吸収を効率よく行うことができ、しかも、エア供給装置の設置が縦置き横置きに拘わらず緩衝部材の経年的摩滅を防止することができる。
【図面の簡単な説明】
【図１】本発明の実施の形態に係わるエア式マッサージ装置のエア供給装置を示し、一部を破断したエア供給装置の平面図である。
【図２】同じく、一部を破断したエア供給装置の正面図である。
【図３】同じく、エアポンプ本体と上下カバーとの関係を示す分解図である。
【図４】同じく、補助緩衝部材の斜視図である。
【図５】同じく、（Ａ）は接続パッキンの拡大正面図、（Ｂ）は接続パッキンの拡大背面図、（Ｃ）は接続パッキンの拡大平面図、（Ｄ）は接続パッキンの拡大縦断面図、（Ｅ）はホース挿入孔の一端側の拡大断面図、（Ｆ）はホース挿入孔の他方の拡大断面図である。
【図６】同じく、ホース接続部分の平面図である。
【図７】同じく、一部を破断したホース接続部分の側面図である。
【図８】同じく、（Ａ）はジョイント部材の拡大正面図、（Ｂ）はジョイント部材の拡大背面図、（Ｃ）はジョイント部材の拡大平断面図、（Ｄ）はジョイント部材の拡大側面図、（Ｅ）はジョイント部材の拡大縦断面図である。
【図９】同じく、トランス取り付け部分の断面図である。
【図１０】同じく、下ケースの要部の拡大平面図である。
【図１１】マット形式のエア式マッサージ装置の斜視図である。
【図１２】椅子形式のエア式マッサージ装置の斜視図である。
【図１３】従来のエア式マッサージ装置のエア供給装置を示し、一部を破断したエア供給装置の平面図である。
【図１４】同じく、トランス取り付け部分の断面図である。
【符号の説明】
３０…エア供給装置
３２…下ケース
３２ａ…内低壁面
３２ｃ…内側壁面（他の面）
３３…ケース本体
３４…エアポンプ本体
４５…緩衝部材
４６…補助緩衝部材
【図１】
0003856644.tif 000002
【図２】
0003856644.tif 000003
【図３】
0003856644.tif 000004
【図４】
0003856644.tif 000005
【図５】
0003856644.tif 000006
【図６】
0003856644.tif 000007
【図７】
0003856644.tif 000008
【図８】
0003856644.tif 000009
【図９】
0003856644.tif 000010
【図１０】
0003856644.tif 000011
【図１１】
0003856644.tif 000012
【図１２】
0003856644.tif 000013
【図１３】
0003856644.tif 000014
【図１４】
0003856644.tif 000015